(57)【特許請求の範囲】
【請求項１】
回転物を転がすための面部を有する回転体と、
前記面部に供給された回転物が不規則に飛び出るように前記回転体を固定平面内で回転させる駆動手段とを備え、
前記回転物が前記回転体から飛び出すことに起因して特定される情報を抽選結果とする抽選装置であって、
前記回転体は、前記面部を平面とした円盤状の透光性部材から成り、該円盤の鉛直軸線を軸として前記面部が固定水平面内に位置するようにしながら回転するものとされてなるとともに、
前記回転体の前記面部の反対側に当たる前記回転体の背後に配された静止画を備えている、
抽選装置。
【請求項２】
前記回転体の外縁部に沿って、それぞれ異なる符号が割り当てられている複数の領域が存在し、前記回転体から飛び出た前記回転物が停止した領域の符号によって抽選結果が特定される、
請求項１記載の抽選装置。
【請求項３】
回転物を転がすための面部を有する回転体と、
この回転体の中心部から前記面部に向けて前記回転物を供給する回転物供給手段と、
供給された回転物がその供給部位から外縁部の方向に不規則に飛び出るように前記回転体を固定平面内で回転させる駆動手段と、
前記回転体の外縁部に沿って設けられ、それぞれ異なる符号が割り当てられている複数の収容体とを有し、前記飛び出た回転物を収容した収容体に割り当てられている符号によって抽選結果が特定される抽選装置であって、
前記回転体は、前記面部を平面とした円盤状の透光性部材から成り、該円盤の鉛直軸線を軸として前記面部が固定水平面内に位置するようにしながら回転するものとされてなるとともに、
前記回転体の前記面部の反対側に当たる前記回転体の背後に配された静止画を備えている、
抽選装置。
【請求項４】
それぞれ停止位置又は姿勢に応じて異なる符号が定まる回転物を転がすための面部を有する回転体と、
この回転体の中心部から前記面部に向けて前記回転物を供給する回転物供給手段と、
供給された回転物がその供給部位から外縁部の方向に不規則に飛び出るように前記回転体を回転させる駆動手段とを備え、
前記飛び出た回転物が停止したときの符号を抽選結果とする抽選装置であって、
前記回転体は、前記面部を平面とした円盤状の透光性部材から成り、該円盤の鉛直軸線を軸として前記面部が固定水平面内に位置するようにしながら回転するものとされてなるとともに、
前記回転体の前記面部の反対側に当たる前記回転体の背後に配された静止画を備えている、
抽選装置。
【請求項５】
前記駆動手段が、前記回転体の回転速度、及び／又は、回転方向を動的に変更できるように構成されている、
請求項１乃至４のいずれかに記載の抽選装置。
【請求項６】
請求項１乃至５のいずれかの項に記載された抽選装置を備え、この抽選装置による抽選結果に応じて遊技者に遊技価値を付与する遊技機。
【請求項７】
複数の遊技者に対して前記抽選結果が異なる影響を及ぼすビンゴゲーム機である、
請求項６記載の遊技機。
【発明の詳細な説明】
【０００１】
【発明の属する技術分野】
本発明は、球体（ボール）等の回転物を用い、遊興性を伴いつつ公正な抽選を行うことができる抽選装置及びこの抽選装置を備えた遊技機に関する。
【０００２】
【従来の技術】
ビンゴゲーム等のように、複数の符号を無作為に選ぶ場合に、遊技者にスリル感や期待感を与えるために、複数あるボールの中からいくつかのボールを目隠し状態で遊技者等に選ばせることが良く行われている。
また、このような作業を自動的に行うビンゴゲーム機も存在している。例えば、特開平６−７１０１０号公報には、回転することによってその中に入れられている複数個のボールを攪拌させる球状の回転カゴが設けられており、更にこの回転カゴ内にボール受けが設けられ、攪拌された複数のボールのうち、たまたまボール受けに落下したボールに記載された符号を識別等するように構成されたビンゴゲーム機が示されている（第一従来例）。
【０００３】
また、中央部のくぼみ中心軸を中心にゆっくり回転する回転皿が設けられ、更に回転皿上に符号が記載された複数のボール受け孔が設けられ、何らかの手段で回転皿上に転がされた複数のボールがそのボール受け孔に落ち、落ちたボール受け孔に対応した符号により抽選を行うように構成されたビンゴゲーム機がゲームセンタ等に存在している（第二従来例）。
【０００４】
【発明が解決しようとする課題】
しかしながら、第一従来例では、ボールを攪拌させる回転カゴを回転させる構造が大掛かりとなり、装置全体のコストが高くなる。また、攪拌された複数のボールから一個のボールを選択させ、選択後にその選択されたボールを検出部に導いてその固有情報を検出するように構成されているため、ボールそれぞれに識別性を与える必要があり、ボールについてもコストがかかることになる。更に、攪拌されたボールがボール受けに全て入らなければならず、一回のゲーム（符号選択）にかかる時間が長くなる場合もある。
【０００５】
第二従来例では、回転皿のボール受け孔の方で選択された符号の識別を行うため、第一従来例で問題となったボールのコスト増の問題は解消される。しかし、回転皿にセンサ付きのボール受け孔を設ける等、回転皿自体のコストはその分割高になる。また、ボールが外に飛び出したり、中央に落ちたりした場合は、再び最初からボールの投入をやり直さねばならないため、一回のゲームにかかる時間が長くなる場合がある。
さらに、第一及び第二従来例のいずれも公正な抽選に主眼があり、抽選過程におけるボールの動きを楽しむものではない。
【０００６】
本発明は、斯かる実情に鑑み、時間管理が容易で遊興性も高い抽選装置及びこの抽選装置を備えた遊技機を提供することを主たる課題とする。
【０００７】
【課題を解決するための手段】
上記課題を解決する本発明の抽選装置は、回転物を転がすための面部を有する回転体と、前記面部を固定水平面内で回転させるとともに該面部に供給された回転物が不規則に飛び出るように前記回転体を固定平面内で回転させる駆動手段とを備え、回転物が回転体から飛び出すことに起因して特定される情報を抽選結果とする装置である。
抽選結果となる情報を特定するには、回転物が停止する際に固有の情報が定まるように構成する。例えば、回転体の外縁部に沿って、それぞれ異なる符号が割り当てられている複数の領域が存在し、飛び出た回転物が停止した領域の符号によって抽選結果が特定されるようにする。なお、抽選結果は、１個の回転物の飛び出しによって特定される１種類の符号であっても良いが、Ｎ（Ｎは２以上の自然数）個の回転物の飛び出しによって特定されるＮ種類の符号を１組の抽選結果としても良い。
【０００８】
本発明の他の抽選装置は、回転物を転がすための面部を有する回転体と、この回転体の中心部から前記面部に向けて前記回転物を供給する回転物供給手段と、供給された回転物がその供給部位から外縁部の方向に不規則に飛び出るように前記回転体を固定平面内で回転させる駆動手段と、前記回転体の外縁部に沿って設けられ、それぞれ異なる符号が割り当てられている複数の収容体とを有し、前記飛び出た回転物を収容した収容体に割り当てられている符号によって抽選結果が特定される装置である。
この装置において、抽選結果を自動的に特定する場合は、複数の収容体の各々に、前記回転物を収容したことを感知したときに所定の信号を出力する感知手段を設け、この出力された信号に基づいて当該収容体に割り当てられた符号を識別するようにする。
【０００９】
前記複数の収容体は、例えば、前記回転物が収容されたときは当該回転物の一部を突出させた状態を維持し、所定のタイミングで当該回転物が落下するように構成する。あるいは、Ｎ（Ｎは２以上の自然数）個の回転物の組によるＮ種類の符号が特定されるまで各回転物を収容しておき、所定のタイミングですべての回転物が同時に落下するように構成する。
【００１０】
前記回転物供給手段は、例えば、回転物を供給するための供給孔と、この供給孔から供給される回転物に加速度を与えて前記面部に導く案内機構とを含んで構成される。この案内機構における、前記供給孔を中心とした前記面部までの距離は、全方向にわたって等しくなるようにする。
【００１１】
抽選をスムーズに進めるため、前記複数の収容体のいずれにも収容されなかった回転物を前記面部に向けて跳ね返すための反射壁を設ける。この反射壁は、前記回転物に加速度を与えて跳ね返す構造のものとする。
【００１２】
前記回転物を球体とすることにより、前記面部との間の「転がり摩擦」が小さくなるため、回転体上での転がり方がより不規則になり、遊興性が増す。
【００１３】
本発明の他の抽選装置は、それぞれ停止位置又は姿勢に応じて異なる符号が定まる回転物を転がすための面部を有する回転体と、この回転体の中心部から前記面部に向けて前記回転物を供給する回転物供給手段と、供給された回転物がその供給部位から外縁部の方向に不規則に飛び出るように前記回転体を回転させる駆動手段とを備え、飛び出た回転物が停止したときの符号を抽選結果とする装置である。
【００１４】
上記の各抽選装置において、前記駆動手段は、前記回転体の回転速度、及び／又は、回転方向を動的に変更できるように構成することが、抽選のための時間管理を容易にする上で好ましい。
また、上記の各抽選装置において、前記回転体を円盤状の透光性部材で製造し、例えば該円盤の真下に静止画を置き、その円盤の鉛直軸線と直交する平面内で回転させるようにすることで、あたかも回転体が回転せず、回転物だけが回転体上で不規則に動いているように見せることができるため、抽選過程の回転物の動きをも楽しむことができるようになる。
【００１５】
本発明は、また、上記抽選装置のいずれかを備え、この抽選装置による抽選結果に応じて遊技者に遊技価値を付与する遊技機を提供する。
【００１６】
【発明の実施の形態】
以下、本発明をビンゴゲーム機に適用した場合の実施の形態を図面を参照して説明する。
図１は、ビンゴゲーム機の外観斜視図である。このビンゴゲーム機は、抽選用の回転物として７個の樹脂製のボールを用い、２５種類の符号を用いたビンゴゲームの環境を複数の遊技者（最大１０名）に提供するもので、各遊技者が視認可能な遊技領域に配置される抽選装置１０と、１０人分の遊技者席ＰＳとを有している。各遊技者席ＰＳには、それぞれ抽選装置１０による抽選の結果とゲーム開始後の抽選履歴を当該遊技者に知らせるためのディスプレイ装置ＤＳが設けられている。また、当選者（ビンゴになった遊技者）に対して遊技価値（メダル等）を付与するための機構が設けられている。ディスプレイ装置ＤＳの内容は、各遊技者に固有のものとなる。なお、抽選用のボールの数は７個に限らず任意の数のボールを用いることができる。
【００１７】
図２は、このビンゴゲーム機に備えられる抽選装置１０の要部構造を示した外観斜視図であり、図３は、この要部構造の断面図である。
抽選装置１０は、ボールＢを転がすための面部を有する回転体１１、この回転体１１を回転させる回転機構３、回転中の回転体１１の中心部から回転体１１の面部にボールＢを１個づつ供給する供給部１２、この供給部１２に７個のボールＢを１組として搬送するボール供給機構２、回転体１１の外縁部に沿って設けられたボール収容機構４、このボール収容機構４の背面部に設けられたボール回収機構５、ボール収容機構４の外縁部に沿って設けられた表示台６、及び、装置全体の動作を制御するコントローラ８を有している。
【００１８】
表示台６はボール回収機構５よりも高く形成されており、その傾斜側壁部６１がボールを回転体１１に跳ね返すための反射壁として機能するようになっている。傾斜側壁部６１の傾斜角は、ボールを跳ね返す際に加速度を与えることができる角度である。
なお、図示の例では傾斜側壁部６１が直線傾斜になっているが、凹楕円状の傾斜にしても良い。
【００１９】
表示台６の上面には、２５種類の符号に対応して２５個の表示装置７が設けられている。各表示装置７は、ビンゴ（当選）となる一つ手前の状態である「リーチ」の事実及びそれが有効になればビンゴになる符号が何であるかを、リーチに該当する遊技者に対して指向性をもつ光を射出することによって通知するものである。具体的には、１つの筐体にそれぞれ異なる方向に光を射出可能な複数の光射出部を収容するとともに、コントローラ８からの指示に基づいて複数の光射出部の一部または全部による光の射出を許容する制御機構を備えたものである。
なお、各表示装置７の付近には、それぞれ対応する符号が、それぞれ遊技者が容易に識別できるように表示されている。
【００２０】
回転体１１は、円盤状の透光性部材、例えばガラス板又はアクリル板であり、その鉛直軸線と直交する固定平面内で回転するようになっている。面部は、平面状あるいは底の浅い皿状に成形されている。好ましくは透明の部材を用いて回転体１１を構成し、その背面には壁紙等の静止画を置く。このようにすれば、あたかも回転体１１が存在せず、ボールＢが面部上で自律的に動いているかの如く見え、遊興性を持たせた抽選が可能になる。
【００２１】
供給部１２は、ボール供給機構２から搬送されたボールＢを回転体１１の面部に供給するための供給孔１２１を有するガイド（案内機構）を含んで構成される。このガイドは、供給孔１２１の出口面１２２を上底とし、回転体１１に接する部位を下底とする略円錐状のものであり、出口面１２２まで搬送されてきたボールＢを傾斜面１２３で加速度を与えて回転体１１に供給するものである。供給孔１２１を中心とした面部までの距離は、全方向にわたって等しくなるように設計されており、ボールＢが供給孔１２１から任意の方向に共通の条件で転がるようになっている。ボール供給機構２は、ボールＢを例えば電動昇降機構によって供給孔１２まで搬送するものであるが、空気圧をもって供給孔１２まで搬送するような構成も可能である。
【００２２】
ボール収容機構４は、円環状の固定平面板にボールを収容するための２５個の収容孔４１が形成されたものであり、ボール回収機構５は、ボール収容機構４と所定の間隙をもって対向し、このボール収容機構４ととほぼ同一形状の円環状の平面板に、収容孔４１に対応した２５個の回収孔５１が形成されたものである。ボール回収機構５は、図示しない駆動機構によって、ボール収容機構４と同心状に変位（スライド変位）されるようになっている。
ボール収容機構４とボール回収機構５との位置関係を図４に示す。図４（ａ）はボール収容機構４の上面図、図４（ｂ）は位置決めされたボール回収機構５の背面図である。抽選を行うときは、図４（ｃ）のように収容孔４１の下底部の一部又は全部がボール回収機構４の面部によって遮られるように、ボール回収機構４を変位させて収容孔４１を開口部とするボール収容空間を形成し、１ラウンドの抽選（７個のボールによる７種類の符号抽選）が終わるまでボールＢをそれぞれボール収容空間に収容させておく。以下、ボール収容空間を「ポケット」と称する。
【００２３】
なお、ビンゴゲーム機における抽選では、同一抽選ラウンドでは同一符号が重複して選ばれないようにするため、当該抽選ラウンド中は一つのポケットに複数のボールが同時に収容される事態を回避する必要がある。これについては、ポケットに蓋をすること等によって実現可能であるが、本実施形態では、図３に示したように、ボールＢがポケットに収容されたときは、当該ボールＢの一部がポケットから突出した状態が維持されるようにしておく。これは、ボール収容機構４とボール回収機構５との間隙を調整することで実現可能である。このようにすることにより、ポケットへの重複収容を簡易に防止することができる。
【００２４】
ボール収容機構４における個々の収容孔４１は、表示台６上の個々の表示装置７及び符号と１対１に対応付けられており、ボールＢがポケットに収容されたときに、該当する符号を特定できるようになっている。
なお、ボールＢがどの収容孔４１に収容されたかは目視によっても確認できるが、各符号を自動的に検出できるようにするため、本実施形態では、各収容孔４１にそれぞれマイクロスイッチのようなボール収容感知機構を設け、それぞれポケットが形成され、そこにボールＢが収容されたときに、収容の事実を表す信号をコントローラ８に通知するようにしている。
【００２５】
１ラウンドの抽選が終了したときは、ボール回収機構５を図４（ｃ）のように変位させて収容孔４１と回収孔５１とを合致させ、すべてのボールＢがポケットから同時に落下するようにする。落下したボールＢは、図示しない回収・再利用手段において回収されて７個毎に振り分けられ、再度ボール供給機構２に搬送されて利用に供される。
【００２６】
上述の各機構ないし部品は、コントローラ８によってコンピュータ制御される。
図５は、このコントローラ８の制御ブロックを示した図である。コントローラ８は、ボール供給機構２によるボール供給タイミング等の制御を行う供給機構制御部８１、ボール回収機構５のスライド制御を行う回収機構制御部８２、回転機構３の回転速度や回転方向の制御を行う回転駆動制御部８３、ボールＢが収容された収容孔４１を感知するボール収容感知機構４２から出力される信号に基づいて符号検出を行う符号検出部８４、該当する表示装置７の動作を制御する表示装置制御部８５、及びビンゴ機能１００との連携を行うビンゴ制御部８６を有している。
回転駆動制御部８３は、回転機構３の回転速度、及び／又は、回転方向を動的に変更し、これによって回転体１１の回転速度等を変化させ、ボールＢの動きを不規則にさせるものである。
【００２７】
ビンゴ機能１００は、抽選装置を用いて複数の遊技者によるビンゴゲームを実現するための機構ないし電子部品であり、従来より存在する機能である。これについては、例えば特開平８−８４８０４号公報に示されたものを利用することができる。
【００２８】
次に、上記のように構成される本実施形態の抽選装置１０の動作を図６を参照して説明する。図６は、コントローラ８における制御手順図である。
抽選に際しては、予め回転駆動制御部８３で回転機構３を駆動して回転体１１を所定の回転方向、回転速度で回転させておく。
【００２９】
ビンゴゲーム機の遊技者によって、ビンゴ機能１００の図示しないメダル投入口にメダルが投入され、ビンゴゲームを行う環境が整うと、ビンゴ制御部８６から回収機構制御部８２に抽選開始指示を出し（Ｓ１００１：有）、ポケット閉制御、すなわち収容孔４１及び回収孔５１を閉じるための制御を行う（Ｓ１００２）。コントローラ８にタイマ機能を設けておき、メダル投入後、所定時間経過後は自動的に抽選開始指示があったものとしてポケット閉制御を行うようにしても良い。
【００３０】
ポケット閉制御後は、ボール供給を開始する（Ｓ１００３）。すなわち、供給機構制御部８１でボール供給機構２を制御し、７個のボールＢを供給部１２の供給孔１２１から１個づつ回転体１１の面部に向けて供給する。供給されたボールＢは、回転体１１の面部との摩擦力に応じてその供給部位から外縁部の方向に不規則且つ自律的に転がり、やがてその外部に飛び出て、いずれかの収容孔４１に収容される。
【００３１】
いずれかの収容孔４１においてボールＢが収容されたことが感知された場合（Ｓ１００４：あり）、符号検出部８４は、その収容孔４１に割り当てられた符号を検出し、検出結果をビンゴ制御部８６を通じてビンゴ機能１００に通知する（Ｓ１００５）。ビンゴ機能１００では、各遊技者の座席にある表示装置上の該当符号の表示形態を変える等、所定のビンゴゲーム処理を行う。
以上の処理を１ラウンドについて繰り返す（Ｓ１００７）。これにより、複数の遊技者に対して抽選結果が異なる影響を及ぼすビンゴゲームを実現することができる。
【００３２】
１ラウンドの抽選が終了した場合は、ビンゴ制御部８６から回収機構制御部８２に指示を出し、ポケット開制御、すなわちポケット回収機構５をスライドさせて収容孔４１及び回収孔５１の位置を合致させるための制御を行い、当該ラウンドで使用した７個のボールＢを落下させ、ボール回収を行う（Ｓ１００８）。
【００３３】
ビンゴ機能１００からの抽選終了指示がない場合、つまり、次のラウンドの抽選を行う場合は、ステップ１００３以降の処理を繰り返す（Ｓ１００９：なし）。ビンゴ機能１００から抽選終了指示があった場合は、抽選のための制御処理を終える（Ｓ１００９：あり）。
【００３４】
このように、本実施形態の抽選装置は、回転体１１とボールＢとの摩擦によりボールＢに遠心力を働かせ、回転体１１の面部からボールＢを不規則に飛び出させることによって抽選を行うものであるが、ボールＢの動き及びそれが供給部１２から回転体１１に供給された後収容孔４１に収容されるまでの時間は、回転体１１の回転速度に応じて微妙に変化する。
ボールＢが供給されてから収容孔４１に収容されるまでの時間は、回転体１１の回転速度がある程度速い場合には、ボールは複雑な経路で転がるため、長くかかることになる。図７は、この場合の状態を示した図である。図示のように複雑な経路となるのは、回転速度が速い回転体１１によってボールＢに大きな運動エネルギーが与えられ、ボールの速度が大きくなるため、側壁などと衝突によって大きく跳ねかえったり、収容孔４１にはじかれたりして、回転体１１にボールＢが戻ったりするためである。
これに対し、回転体１１の回転速度がある程度遅い場合には、図８に示すように、ボールＢが収容孔４１に収容されるまでの時間は短くなる。これは、側壁との衝突による跳ね返りは小さく、収容孔４１にはじかれる可能性も低くなり、回転体１１上で大きく移動しないうちに収容孔４１に収容されるためである。
なお、ボールＢの重さ、回転体１１の摩擦係数などによって、ボールの挙動はかなり変化する。ボールの重さが同じでも、金属メッキボールと樹脂ボールとでは、他の条件を同じにしても挙動がかなり異なる。
従って、実際の運用に際しては、これらの兼ね合いを図りながら、回転体１１の回転速度を変えていくことになる。
【００３５】
なお、ボールＢが直ちに収容孔４１に入らない場合は、図９に示すように、そのボールＢが表示台６の傾斜側壁部６１で回転体１１に（加速度を伴って）跳ね返され、再度不規則な動きで転がった後、いずれかの収容孔４１に収容されることになるため、抽選動作が停滞することがない。従って、１ラウンドの抽選に要する時間の管理が極めて容易となり、前述した第２従来例における、抽選やり直しによる時間管理の問題が解消される。
【００３６】
本実施形態の抽選装置は以上のとおりであるが、本発明は、ボール等の回転物を回転体１１上で不規則に転がしながら飛び出させ、その回転物の飛び出しに起因して特定される情報を抽選結果とする点に主眼があるので、本発明の範囲は、上記実施形態の例に限定されるものではない。
【００３７】
例えば、本実施形態では、供給部１２を回転体１１の中心部に設けたが、この供給部１２は、中心部以外の位置に設けても良いし、回転体１１上に設けずに、ボールを回転体１１の上部から落下することによって供給するようにしても良い。
【００３８】
また、本実施形態では、複数のボールＢを１個づつ回転体１１に供給し、このボールの動きを楽しみながら抽選を行う場合の例を示したが、複数のボールを同時に回転体１１に供給するような形態も可能である。
また、上記説明では、複数のボールが同質同形状に統一されていることを前提としたが、様々な種類の複数のボールを用いて抽選を行う形態も可能である。このようにすれば、各ボールがそれぞれ異なる特徴的な動きをするようになり、抽選時の遊興性を向上させることができる。
さらに、本実施形態では、回転物としてボールを使用した場合の例を挙げたが、正１２面体や正２０面体のような多面体や、外周面の一部が平面であって転がることが可能な物であれば、回転物として使用できるものである。
【００３９】
また、回転体１１からのボールＢの飛び出しを検出する手段があれば、抽選自体は行うことができるので、ボール収容機構４等を省略した構成も可能である。例えば、第一従来例のように回転物に固有の識別符号を割り当てておき、その回転物の回転体１１からの飛び出し順に応じて識別符号を特定していくようにすれば、簡易な構成で抽選装置を実現することができる。また、それぞれ停止位置又は姿勢に応じて異なる符号が割り当てられた回転物、例えばさいころ等、外平面に異なる符号が割り当てられた多面体を回転体１１上に供給し、それが回転体１１から飛び出して停止したときの符号を抽選結果として用いても良い。
【００４０】
【発明の効果】
以上の説明から明らかなように本発明の抽選装置によれば、回転体上で転がる回転物の動きを楽しみながら、公正な抽選を行うことができる。また、抽選のやり直しがないので、時間管理も容易になる。
本発明の遊技機は、上記の抽選装置を備えるようにしたので、遊興性の高い遊技が可能となる。
【図面の簡単な説明】
【図１】本発明が適用される遊技機の一例となるビンゴゲーム機の外観斜視図。
【図２】本実施形態の抽選装置の要部構造を示した外観斜視図。
【図３】本実施形態の抽選装置の要部構造の断面図。
【図４】（ａ）はボール収容機構の上面図、（ｂ）はボール回収機構の背面図、（ｃ）は抽選を行うときの両者の位置関係を示した上面図。
【図５】本実施形態によるコントローラの機能ブロック図。
【図６】本実施形態の抽選装置の動作手順を示した図。
【図７】回転体の回転速度が比較的遅い場合のボールの動きの例を示した説明図。
【図８】回転体の回転速度が比較的速い場合のボールの動きの例を示した説明図。
【図９】ボールが跳ね返された場合の動きの例を示した説明図。
【符号の説明】
１０  抽選装置
１１  回転体
１２  供給部
１２１  供給孔
１２２  出口面
１２３  傾斜面
２      ボール供給機構
３      回転機構
４  ボール収容機構
４１      収容孔
４２  ボール収容感知機構
５  ボール回収機構
５１  回収孔
６  表示台
６１  表示台の傾斜側壁
７  表示機構
８  コントローラ
８１  供給機構制御部
８２  回収機構制御部
８３  回転駆動制御部
８４  符号検出部
８５  表示装置制御部
８６  ビンゴ制御部
１００  ビンゴ機能
Ｂ  ボール
ＰＳ  遊技者席
ＤＳ  ディスプレイ装置
【図１】
0004087538.tif 000002
【図２】
0004087538.tif 000003
【図３】
0004087538.tif 000004
【図４】
0004087538.tif 000005
【図５】
0004087538.tif 000006
【図６】
0004087538.tif 000007
【図７】
0004087538.tif 000008
【図８】
0004087538.tif 000009
【図９】
0004087538.tif 000010